(57)【要約】【課題】就寝時に背中を好適に保温することのできる保温着の一例であるパジャマを提供する。【解決手段】パジャマの上着の後身頃の背中部には保温部１００が設けられている。この保温部１００は、比重１以下で水分率が０．３％以下の素材Ａと比重１以上で水分率１％以上の素材Ｂとが交編された交編生地１１０と、ポリエステル中綿１２０と、外側生地１３０とで構成され、キルト構成糸１４０によりキルト状に構成されている。この交編生地１１０を構成する素材Ａとしてポリプロピレン１１０Ａが、この交編生地１１０を構成する素材Ｂとして綿１１０Ｂが挙げられる。【選択図】図３
2020133081.tif 000002
【特許請求の範囲】
【請求項１】
前身頃および後身頃を含む保温着であって、少なくとも前記後身頃の背中部に２種類以上の素材からなる保温部を備え、
前記保温部を構成する素材Ａは、比重１以下で水分率が０．３％以下の素材であって、
前記保温部を構成する素材Ｂは、比重１以上で水分率１％以上の素材であることを特徴とする、保温着。
【請求項２】
前記保温部の全重量に対する前記素材Ａの重量割合は、１０重量％〜５０重量％であることを特徴とする、請求項１に記載の保温着。
【請求項３】
前記保温部は、少なくとも前記素材Ａと前記素材Ｂとの交編の生地で構成されていることを特徴とする、請求項１または請求項２に記載の保温着。
【請求項４】
前記保温部は、ニットキルトからなり、前記後身頃の内側に設けられていることを特徴とする、請求項１〜請求項３のいずれかに記載の保温着。
【請求項５】
前記保温部は、前記前身頃の肩部に設けられていること特徴とする、請求項１〜請求項４のいずれかに記載の保温着。
【請求項６】
前記素材Ａはポリプロピレンで、前記素材Ｂが綿であることを特徴とする、請求項１〜請求項５のいずれかに記載の保温着。
【発明の詳細な説明】
【技術分野】
【０００１】
本発明は、パジャマ等で代表される就寝時に着用する保温着に関し、特に、就寝時に背中を好適に保温することのできる保温着に関する。
【背景技術】
【０００２】
従来から、衣服内環境を快適に保つことを目的とした様々な生地又は衣料が開発されている。なかでも、冬季用の衣料には、防寒のために低通気性、防風性、保温性等が求められている一方で、衣服内の蒸れ感を防ぐために適度な透湿性も必要とされている。加えて、特に就寝時用衣料、インナーウェア等の場合には、伸縮性及び柔軟性に優れ、肌触りが良いことも求められている。
【０００３】
このような背景の元で、本願出願人により開発された、保温性に優れ、衣服内環境を快適に保つことができる就寝時用衣料が、特開２０１４−１７７７１５号公報（特許文献１）に開示されている。この特許文献１に開示された衣料は、上着及びズボンからなる就寝時用衣料であって、前記上着及びズボンは、裏側から保温生地が縫着されており、前記保温生地は、ナノファイバー不織布と、該ナノファイバー不織布に積層された編生地とを有する複合生地であることを特徴とする。
【先行技術文献】
【特許文献】
【０００４】
【特許文献１】特開２０１４−１７７７１５号公報
【発明の概要】
【発明が解決しようとする課題】
【０００５】
上述した特許文献１に開示された就寝時用衣料は好評を得ているのであるが、基本的にはこのような保温着は以下のような問題点を有する。
パジャマなどの就寝時用衣類においては、保温のために、肩部や背中部などに保温機能のある生地（たとえば特許文献１における複合生地）を使用し、肩や背中を保温している。特許文献１に開示された就寝時用衣料とは観点が異なる可能性もあるが、一般的には、中綿などを含む保温性生地を肩部や背中部に重ねて保温する衣類が多く市販されている。このような中綿を使用した衣類は、暖かいが、汗を吸ってしまうと、吸収した汗により肌がムレたり、濡れた状態で長時間着用すると体温が奪われ、風邪を引きやすくなる。就寝中に汗をかきパジャマが汗を保水した状態で寝てしまうと、そのような問題が特に発生し易い。また、ポリエステルなどの素材は汗をかいても保水し難いが、汗を吸いにくいために通気性が悪い布団の中で汗をかくとそのまま汗が残り易く不快に感じる問題がある。
【０００６】
このような問題を根本的に解決するために、本願出願人は、過去において着目されていない、汗である水（水分）と繊維素材との比重の関係に着目しさらにこの比重以外の特性（熱的特性等）を踏まえて、パジャマに代表される保温着の開発を鋭意進めてきた。
本発明は、従来技術の上述の問題点に鑑みて開発されたものであり、その目的とするところは、パジャマ等で代表される就寝時用に着用する保温着であって就寝時に背中を好適に保温することのできる保温着を提供することである。
【課題を解決するための手段】
【０００７】
上記目的を達成するため、本発明に係る保温着は以下の技術的手段を講じている。
すなわち、本発明に係る保温着は、前身頃および後身頃を含む保温着であって、少なくとも前記後身頃の背中部に２種類以上の素材からなる保温部を備え、前記保温部を構成する素材Ａは、比重１以下で水分率が０．３％以下の素材であって、前記保温部を構成する素材Ｂは、比重１以上で水分率１％以上の素材であることを特徴とする。
【０００８】
好ましくは、前記保温部の全重量に対する前記素材Ａの重量割合は、１０重量％〜５０重量％であるように構成することができる。
さらに好ましくは、前記保温部は、少なくとも前記素材Ａと前記素材Ｂとの交編の生地で構成されているように構成することができる。
さらに好ましくは、前記保温部は、ニットキルトからなり、前記後身頃の内側に設けら
れているように構成することができる。
【０００９】
さらに好ましくは、前記保温部は、前記前身頃の肩部に設けられているように構成することができる。
さらに好ましくは、前記素材Ａはポリプロピレンで、前記素材Ｂが綿であるように構成することができる。
【発明の効果】
【００１０】
本発明の保温着によれば、パジャマ等で代表される就寝時用に着用する保温着であって就寝時に背中を好適に保温することのできる保温着を提供することができる。
【図面の簡単な説明】
【００１１】
【図１】本発明の実施の形態に係る保温着の一例を示す図である。
【図２】本発明の実施の形態に係る保温着が備える保温部を構成するニットキルト生地の構造を説明するための模式的な断面図である。
【図３】保温部の作用効果を説明するための模式的な断面図である。
【発明を実施するための形態】
【００１２】
以下、本発明の実施の形態に係る保温着を、図面に基づき詳しく説明する。このような保温着の一例として、図１（Ａ）に紳士用パジャマ１０、図１（Ｂ）に婦人用パジャマ２０、図１（Ｃ）に婦人用パジャマ３０をそれぞれ示す。
いずれの紳士用パジャマ１０、婦人用パジャマ２０、婦人用パジャマ３０も、上下（上着１２とズボン１４、上着２２とズボン２４、上着３２とズボン３４）で１セットを構成している。本発明に係る保温着はこれらの紳士用パジャマ１０の上着１２、婦人用パジャマ２０の上着２２、婦人用パジャマ３０の上着３２である。ここで、本発明に係る保温着は、前身頃および後身頃を含む保温着であって、少なくとも後身頃の背中部に２種類以上の素材からなる保温部を備えていれば、上述したパジャマに限定されるものではない。
【００１３】
これらのパジャマ１０の上着１２の後身頃の背中部には保温部１００が、パジャマ２０の上着２２の後身頃の背中部には保温部１００が、パジャマ３０の上着３２の後身頃の背中部には保温部１００が、それぞれ設けられていることを大きな特徴とする。このような保温部１００は後述する構造を備えた生地で構成され、背中の肌がこの生地に直接当接することが好ましい。
【００１４】
なお、上述したパジャマ１０の上着１２の後身頃の背中部に設けられた保温部１００、パジャマ２０の上着２２の後身頃の背中部に設けられた保温部１００およびパジャマ３０の上着３２の後身頃の背中部に設けられた保温部１００は、いずれも後身頃の生地（自体）が保温部１００を形成しているが、本発明に係る保温着はこのように形成されるものに限定されない。たとえば、２種類以上の素材からなる保温部としての生地（この生地は後身頃の生地自体とは別生地）を、上着の後身頃の生地の肌側に縫着等により重ねるように接合しても構わない。その場合において、保温部としての生地を後身頃の背中全体に接合しても構わないし、保温部としての生地を後身頃の背中の一部（たとえば上部のみ）に接合しても構わない。
【００１５】
保温部１００自体の形状の差異はあるものの、いずれの上着１２、上着２２および上着３２もこのように上着の背中に当接する生地（より詳しくはニットキルト生地）で構成された保温部１００を備えるために、以下においては、この保温部１００について説明する。なお、保温部１００を、後身頃の背中部に加えて、この背中部以外のたとえば前身頃の肩部にさらに設けることも、肩痛に悩む着用者の肩部の保温性を向上させるために好ましい。
【００１６】
この保温部１００を構成する生地の構造を説明するための模式的な断面図を示す図２および保温部１００の作用効果を説明するための模式的な断面図を示す図３を参照して、この保温部１００について詳しく説明する。
図２に模式的に示すように、この保温部１００は、２種類以上の素材からなることを特徴としており、比重１以下で水分率が０．３％以下の素材Ａと、比重１以上で水分率１％以上の素材Ｂを含んで構成されている。本発明に係る保温着は、これらの素材Ａおよび素材Ｂを含んでいることが必須の構成であって以下に列挙するそれ以外の構成は任意的な構成でしかない。
【００１７】
たとえば、限定されるのではないが、この保温部１００はニットキルト生地を用いて実現されている。さらに、任意的な構成として（上述した必須的な構成である素材Ａおよび素材Ｂに加えて）ポリエステル中綿１２０を保温性向上のために採用している。なお、ポリエステル中綿１２０は公知のもので構わない。
図２に示すように、この保温部１００を実現するニットキルト生地は、素材Ａおよび素材Ｂを含む交編生地１１０（ただし交編に限定されるものではない）、ポリエステル中綿１２０、外側生地１３０で構成され、キルト構成糸１４０によりキルト状に構成されている。キルト構成糸１４０はたとえば綿糸である。肌側に素材Ａおよび素材Ｂを含む交編生地１１０を備え、この交編生地１１０が背中の肌に直接当接することが好ましい。
【００１８】
この交編生地１１０を構成する素材Ａ（比重１以下で水分率が０．３％以下の条件を満足する繊維に適用可能な素材）として、限定されるものではないがポリプロピレンが挙げられる。このポリプロピレン以外の素材Ａの例として、ポリエチレン等が挙げられる。最も好適に用いられるポリプロピレンは、比重０．９１、水分率０．０％、熱伝導率０．１２Ｗ／ｍ・Ｋ、比熱１５４５Ｊ／ｋｇ・Ｋである。
【００１９】
この交編生地１１０を構成する素材Ｂ（比重１以上で水分率１％以上の条件を満足する繊維に適用可能な素材）として、限定されるものではないが綿が挙げられる。この綿以外の素材Ｂの例として、ポリウレタン、アクリル、ビニロン、セルロース、ナイロン等が挙げられる。最も好適に用いられる綿は、比重１．５４、水分率７．０％、熱伝導率０．０８Ｗ／ｍ・Ｋ、比熱１３３６Ｊ／ｋｇ・Ｋである。
【００２０】
ここで、限定されるものではないが、この素材Ａの重量比率は、後述する作用効果を発現するために、保温部１００の全重量に対する素材Ａの構成する重量割合は、１０〜５０％であることが好ましい。さらに、この保温部１００は、少なくとも素材Ａと素材Ｂとの交編生地で、特にニットキルト生地で構成されていることが好ましい。
上述したように、素材Ａとして最も好適に用いられるポリプロピレンの特性によると（素材Ｂとして最も好適に用いられる綿との比較になる指標もあるが）軽く（特に水よりも軽く繊維素材の中では最も軽く）、水分を全く吸収せず、熱伝導率が（綿も低いが繊維素材の中では）低く、比熱が高い。このため、汗の成分である水に浮き、水を吸わないので水分吸収による温度低下を引き起こさないで、熱的特性（熱伝導率および比熱）により暖かいという特徴を備える。
【００２１】
図３を参照して、このような特徴を備えた素材Ａおよび素材Ｂを含むニットキルト生地で実現されている保温部１００を後身頃の背中部に設けられたパジャマを着用して図３（Ａ）に示すように就寝しているときに汗をかいた場合について説明する。なお、図３（Ｂ）は図３（Ａ）における３Ｂ部分の拡大図、図３（Ｃ）は図３（Ｂ）における３Ｃ部分の拡大図であって、いずれも模式的な図である。
【００２２】
就寝中には、背中の肌が交編生地１１０に当接している。図３（Ｂ）に示すように、背中で発生した汗（以下において水分または水と記載する場合がある）は、交編生地１１０にまず到達する。ここで、上述したように、素材Ａとして最も用いられるポリプロピレンは水より軽く、素材Ｂとして最も用いられる綿は水より重く（当然ながら素材Ａよりも重く）、このために、図３（Ｃ）に示すように、水に対して相対的に素材Ａであるポリプロピレン１１０Ａが上（背中側）、素材Ｂである綿１１０Ｂが下（ポリエステル中綿１２０側）へ存在することになる。
【００２３】
このため、水を吸わないポリプロピレン１１０Ａが背中側で水を吸わず保水しないので、背中の肌がムレたり、背中の肌が濡れた状態で長時間着用することにより体温が奪われて風邪を引きやすくなるという問題が発生し難い。そして、ポリプロピレン１１０Ａが水を吸わないので水分吸収による温度低下を引き起こさないで、ポリプロピレン１１０Ａの熱的特性（熱伝導率および比熱）により背中を好適に保温することができる。
【００２４】
そして、背中で発生して交編生地１１０に到達した汗は、上述したように交編生地１１０の素材Ａの代表例であるポリプロピレン１１０Ａに吸水されないために、（ポリエステル中綿１２０も保水し難いので）交編生地１１０のポリエステル中綿１２０側に存在する交編生地１１０の素材Ｂの代表例である綿１１０Ｂに吸水されて保水される。このため、背中の肌側にポリプロピレン１１０Ａが存在するので、背中の肌が濡れた状態で長時間着用することにより体温が奪われて風邪を引きやすくなるという問題が発生し難い。
【００２５】
なお、図３（Ｃ）は模式的な図であるのでポリプロピレン１１０Ａと綿１１０Ｂとの交編生地としての形態を模していないが、交編とした場合にはポリプロピレン１１０Ａと綿１１０Ｂとで構成される生地を好適に形状保持することができるために好ましい。また、保温部１００をニットキルト生地とした場合にはポリエステル中綿１２０の位置が保持されて保温部１００を実現する生地を好適に形状保持することができるために好ましい。また、限定されるものではないが、この保温部１００を実現しているニットキルト生地の組成は、綿６５重量％、ポリプロピレン２５重量％（ポリプロピレンは１０重量％〜５０重量％の中でもこの程度が好ましい）、ポリエステル１０重量％である。
【００２６】
以上のようにして、本実施の形態に係る保温着によると、パジャマ等で代表される就寝時用に着用する保温着において就寝時に背中を好適に保温することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２７】
本発明は、パジャマ等で代表される就寝時用に着用する保温着に好適であり、特に、就寝時に背中を好適に保温することのできる保温着に特に好適である。
【符号の説明】
【００２８】
１０  紳士用パジャマ
２０  婦人用パジャマ
３０  婦人用パジャマ
１００  保温部（ニットキルト生地）
１１０  ポリエステル中綿
１２０  交編生地
１３０  外側生地
１４０  キルト構成糸
【図１】
2020133081.tif 000003
【図２】
2020133081.tif 000004
【図３】
2020133081.tif 000005